(57)【要約】【課題】  住宅においては玄関子機で測定した外気温情報を基に、室内の空調機器の制御を可能とする。【解決手段】  玄関子機１に、外気温を測定して居室親機２に対して温度情報を出力する温度計５を設ける一方、居室親機２に温度計５の測定温度を表示する表示部１０と、空調機器に対する制御信号を出力する出力端子１１と、制御信号を変化させる親機制御部１３とを設けた。親機制御部１３は、室内の温度が設定温度になるよう空調機器を制御するが、設定温度を温度計の測定温度に応じて変化させ、予め設定された設定温度に対して温度計の測定温度が所定値以上離れている場合は、測定温度と設定温度との差が所定値となるよう設定温度を上昇或いは下降させた。【選択図】  図１
2009010738.tif 000002
【特許請求の範囲】
【請求項１】
居住者を呼び出すための玄関子機と、居住者が応答するための居室親機とを備えたインターホンシステムにおいて、
前記玄関子機に、周囲の温度を測定して前記居室親機に対して温度情報を出力する温度計を設ける一方、前記居室親機に前記温度計の測定温度を表示する表示部と、空調機器に対する制御信号を出力する信号出力部と、前記温度計の測定温度を基に前記制御信号を変化させる出力制御部とを設けたことを特徴とするインターホンシステム。
【請求項２】
居住者を呼び出すために集合住宅の共同玄関に設置された集合玄関機と、居住者が応答するために個々の住戸に設置された居室親機と、居住者や来訪者と通話するために管理室に設置された管理室親機とを備えたインターホンシステムにおいて、
前記集合玄関機に、周囲の温度を測定し、前記居室親機に温度情報を出力する温度計を設ける一方、前記居室親機に前記温度計の測定温度を表示する表示部と、空調機器に対する制御信号を出力する信号出力部と、前記温度計の測定温度を基に前記制御信号を変化させる出力制御部とを設けたことを特徴とするインターホンシステム。
【請求項３】
看護師を呼び出すために病室内の個々のベッド近傍に設置されたナースコール子機と、病室毎に通路壁面等に設置されて前記ナースコール子機からの呼び出しを表示する廊下灯と、看護師が呼び出しに応答するためにナースステーションに設置されたナースコール親機とを備えたインターホンシステムにおいて、
前記ナースコール子機に室温を測定する温度計を備えると共に、温度情報を前記ナースコール親機へ送信する送信制御手段を備える一方、
前記ナースコール親機に、前記温度計の測定温度を表示する表示部と、廊下の空調機器に対する制御信号を出力する信号出力部と、前記温度計の測定温度を基に前記制御信号を変化させる出力制御部とを設けたことを特徴とするインターホンシステム。
【請求項４】
前記出力制御部は、測定した気温が予め設定された温度に達したら、空調機器の停止信号を前記信号出力部から出力させることを特徴とする請求項１乃至３の何れかに記載のインターホンシステム。
【請求項５】
前記出力制御部は、室内或いは廊下の温度が予め設定された設定温度になるよう空調機器を制御すると共に、前記設定温度を前記温度計の測定温度に応じて変化させ、
前記設定温度に対して、前記温度計の測定温度が所定値以上離れている場合は、前記測定温度と前記設定温度との差が所定値となるよう前記設定温度を上昇或いは下降させることを特徴とする請求項１乃至４の何れかに記載のインターホンシステム。
【発明の詳細な説明】
【技術分野】
【０００１】
本発明は、インターホンシステムに関し、特に呼出操作する子機に温度計を設置して、応答操作する親機において子機側の温度を把握できるインターホンシステムに関する。
【背景技術】
【０００２】
従来から、呼び出し操作する子機側に温度計を設置し、呼び出しに応答する親機側でその温度を表示できるものがあった。例えば特許文献１では、親機側で子機周辺の温度を表示することで、来訪者に対して応答する居住者が外気温を知ることができ、来訪者に対して的確な対応をすることが可能となるし、外出する際に予め準備することができ、来訪者及び居住者の双方にとって利便性の良いものであった。
【特許文献１】実開平５−２３６８８号公報
【発明の開示】
【発明が解決しようとする課題】
【０００３】
このように、外気温を親機に表示するだけでも有効であったが、その情報を利用して空調機器等を制御すれば、省エネルギー制御を実施することが可能となる。また、室内の温度が外気温に比べて大きく異なり、冷えすぎていたり暑すぎると、来訪者が急な温度変化で体調を崩すことがあるため、外気温情報を利用することで来訪者に対して優しい空調制御を実施することが可能となる。
一方、病院においては、病室とその前の廊下の温度が異なる場合がある。このような状況に対して、インターホンシステム（ナースコールシステム）に温度情報を持たせることで、病室の温度と廊下の温度差を小さくして患者に対して優しい環境を造る制御が可能となるし、合わせて電力の節約もできる。
【０００４】
そこで、本発明はこのような点に鑑み、住宅においては玄関子機で測定した外気温情報を利用して、室内の空調機器の制御を可能とするとを目的とし、病院においてはナースコール子機側で病室内の温度を測定して、病室前の廊下の温度を制御可能とすることを目的としている。
【課題を解決するための手段】
【０００５】
上記課題を解決する為に、請求項１に記載の発明は、居住者を呼び出すための玄関子機と、居住者が応答するための居室親機とを備えたインターホンシステムにおいて、玄関子機に、周囲の温度を測定して居室親機に対して温度情報を出力する温度計を設ける一方、居室親機に温度計の測定温度を表示する表示部と、空調機器に対する制御信号を出力する信号出力部と、温度計の測定温度を基に制御信号を変化させる出力制御部とを設けたことを特徴とする。
この構成によれば、玄関子機で測定した外気温を基に室内の空調機器を制御することが可能となり、外気温の上昇、或いは下降に応じて室内温度設定を自動変更することができる。よって、外気温との差を小さくするよう制御すれば、来訪者が急激な温度変化を感じることが無く来訪者に優しい空調が可能となるし、電力等のエネルギーの節約にも有効となる。
【０００６】
請求項２の発明は、居住者を呼び出すために集合住宅の共同玄関に設置された集合玄関機と、居住者が応答するために個々の住戸に設置された居室親機と、居住者や来訪者と通話するために管理室に設置された管理室親機とを備えたインターホンシステムにおいて、集合玄関機に周囲の温度を測定し、居室親機に温度情報を出力する温度計を設ける一方、居室親機に温度計の測定温度を表示する表示部と、空調機器に対する制御信号を出力する信号出力部と、温度計の測定温度を基に制御信号を変化させる出力制御部とを設けたことを特徴とする。
この構成によれば、集合玄関機で測定した外気温を基に室内の空調機器を制御することが可能となり、外気温の上昇、或いは下降に応じて室内温度設定を変更することができる。よって、外気温との差を小さくするよう制御すれば、来訪者が急激な温度変化を感じることが無く来訪者に優しい空調が可能となるし、電力等のエネルギーの節約にも有効となる。また、温度計はシステム全体で１つでよく、コスト上昇を抑制できるし、集合玄関機に組み込むことで直射日光や雨のあたらない場所に設置でき、温度測定精度を安定させることができる。
【０００７】
請求項３の発明は、看護師を呼び出すために病室内の個々のベッド近傍に設置されたナースコール子機と、病室毎に通路壁面等に設置されてナースコール子機からの呼び出しを表示する廊下灯と、看護師が呼び出しに応答するためにナースステーションに設置されたナースコール親機とを備えたインターホンシステムにおいて、ナースコール子機に室温を測定する温度計を備えると共に、温度情報をナースコール親機へ送信する送信制御手段を備える一方、ナースコール親機に、温度計の測定温度を表示する表示部と、廊下の空調機器に対する制御信号を出力する信号出力部と、温度計の測定温度を基に制御信号を変化させる出力制御部とを設けたことを特徴とする。
この構成によれば、病室の温度を測定して廊下の空調機器を制御することができるため、病室の温度に合わせて廊下の温度設定を変更できる。よって、廊下と病室の温度差が無くなるよう制御でき、入院患者に対して優しい空調管理ができる。
【０００８】
請求項４の発明は、請求項１乃至３の何れかに記載の発明において、出力制御部は、測定した気温が予め設定された温度に達したら、空調機器の停止信号を信号出力部から出力させることを特徴とする。
この構成によれば、戸建住宅或いは集合住宅において外気温が例えば２８℃等の所定の温度になった場合、空調機器の動作を停止させるので、空調機器の運転コストを節減することができる。また、病院においては、病室の温度が所定の温度である場合、廊下の空調を停止させることで空調機器の運転コストを節減することができる。
【０００９】
請求項５の発明は、請求項１乃至４の何れかに記載の発明において、出力制御部は、室内或いは廊下の温度が予め設定された設定温度になるよう空調機器を制御すると共に、設定温度を温度計の測定温度に応じて変化させ、設定温度に対して温度計の測定温度が所定値以上離れている場合は、測定温度と設定温度との差が所定値となるよう設定温度を上昇或いは下降させることを特徴とする。
この構成によれば、外気と室内、あるいは病室と廊下との温度差を小さくでき、来訪者や患者等が大きな温度変化を感じることが無くなる。よって、来訪者等に優しい空調が可能となるし、電力等のエネルギーの節約にも有効である。
【発明の効果】
【００１０】
このように本発明によれば、住宅用のインターホンシステムでは玄関子機或いは集合玄関機で測定した外気温を基に室内の空調機器を制御することで、外気温の上昇／下降に応じて室内温度を外気温との差が小さくなるよう制御でき、来訪者が急激な温度変化を感じるのを無くすことができるし、電力等のエネルギーの節約にも有効となる。
また、病院のインターホンシステムでは、病室の温度に応じて廊下の温度を変化させるので、入院患者に対して優しい空調を実現できるし、電力等のエネルギーの節約に有効となる。
【発明を実施するための最良の形態】
【００１１】
以下、本発明を具体化した実施の形態を、図面に基づいて詳細に説明する。
〈請求項１に対応する第１の実施形態〉
図１は、本発明に係るインターホンシステムの第１の実施形態を示すブロック図であり、戸建住宅に設置されるインターホンシステムを示している。図１に示すように、玄関等に設置されて居住者を呼び出す為の玄関子機１と、居室に設置されて呼び出しに応答するための居室親機２とを有し、玄関子機１は呼出操作する呼出ボタン４、外気温を測定する温度計５、図示しないマイク及びスピーカを有する通話部６、居室親機２と通信するためのインターフェース（子機ＩＦ）７を有している。尚、温度計５は、Ａ／Ｄコンバータが内蔵され、測定した温度をデジタル変換して居室親機２に送信する送信回路を備えている。
【００１２】
また居室親機２は、図示しないマイク及びスピーカを有して呼び出しに応答する通話部９、玄関子機１から送信された気温情報を表示する表示部１０、エアコン等の空調機器へ制御信号を送信する出力端子１１、エアコン温度設定等の出力信号の動作パラメータを居住者が入力するための設定部１２、ＣＰＵを有して居室親機２を制御する制御部（親機制御部）１３、玄関子機１と通信するためのインターフェース（親機ＩＦ）１４を備えている。尚、玄関子機１に来訪者を撮像するカメラが設けられている場合、表示部１０はそのモニタに兼用する。
【００１３】
このように構成されたインターホンシステムは次のように操作されて動作する。但し、インターホンの基本動作である玄関子機１からの呼び出し、及び居室親機２により応答する動作は従来と同様であるため説明を省略し、温度計５の測定情報の流れ、及びその情報による制御を説明する。
最初に制御対象の空調機器の温度設定が成される。居住者により設定部１２が操作されて、例えば冷房設定の場合［冷房／設定温度外気温−５℃／設定下限温度２８℃］という設定が成される。これは、室内の冷房は２８℃に設定するが、外気温との温度差を５度以下にすることを優先する設定であることを示している。
【００１４】
こうして、温度設定された居室親機２の親機制御部１３は図２に示すフローに従い制御動作する。設定部１２により２８℃等の温度設定（Ｓ１）が成されると、外気温情報の入力を受けて制御を開始する（Ｓ２）。まず外気温が３３℃（２８℃プラス５℃）を超えるかどうか判断する（Ｓ３）。超えていればエアコンの温度設定を外気温−５℃に設定する（Ｓ４）。３３℃以下であれば、次に２８℃を超えているかどうか判断する（Ｓ５）。２８℃を超えている場合はエアコン温度を２８℃に設定する（Ｓ６）。２８℃以下であれば、停止信号を出力させてエアコンを停止させ（Ｓ７）る。以上の制御信号を外気温情報の受信を受けて定期的に出力する。
【００１５】
このような制御により、外気温が例えば３４℃の場合はエアコンに対して温度設定２９℃の指示を出して、設定温度２８℃より１℃高い温度に設定する。また、外気温が３３℃に下がったら温度設定２８℃の指示を出す。そして、外気温が３２度に下がったら、設定下限温度が２８℃であることから、これ以上の温度設定の指示をエアコンに対して送らず、温度設定２８℃の指示が維持される。
更に、外気温が２８℃に下がったことを玄関子機２ａから通知された居室親機２は、設定温度が２８℃であることから、エアコンに対して「冷房停止」の指示を出すと共に、通話部９のスピーカから、「外気温が下がったのでエアコンを停止しました。窓を開けて下さい」とメッセージを送出する。この動作により、不要な冷房を停止することができる。なお、このメッセージは、居室親機２の図示しない音声メモリに他のメッセージと共に予め記憶されている。
【００１６】
このように、玄関子機で測定した外気温を基に室内の空調機器を制御することで、外気温の上昇、或いは下降に応じて室内温度設定を自動変更することができる。よって、外気温との差を小さくするよう制御でき、来訪者が急激な温度変化を感じることが無く来訪者に優しい空調が可能となるし、電力等のエネルギーの節約にも有効となる。
また、外気温が例えば２８℃等の所定の温度になった場合、空調機器の動作を停止させるので、空調機器の運転コストを更に節減することができる。
【００１７】
尚、この実施形態では空調機器の制御としてエアコンによる冷房を説明したが、暖房制御であっても同様に制御できる。例えば［暖房／設定温度外気温＋５℃／設定上限温度２２℃］と設定し、室温を２２℃に設定して外気温が１７℃より低ければ外気温プラス５℃に室温設定を変更し、１７〜２２℃であれば、室内温度を２２℃に設定する制御を実施することで、外気温との差を小さくするよう制御でき、来訪者が急激な温度変化を感じることが無く来訪者に優しい空調が可能となるし、電力等のエネルギーの節約にも有効となる。
また、暖房機器であれば、例えば「外気温１０℃以下なら床暖房作動、外気温５℃以下なら床暖房装置とエアコン併用」等、複数の空調機器を一括制御することも可能である。
更に、玄関子機１の呼出ボタン４を長押等により、居室親機２の制御により子機スピーカから、「ただ今の外気温は３５℃です」とアナウンスさせても良く、他の温度計と比較して温度計の直射日光等による誤差を確認することができる。
【００１８】
〈請求項２に対応する第２の実施形態〉
図３は、インターホンシステムの第２の実施形態を示すブロック図であり、集合住宅に設置されるインターホンシステムを示している。図３に示すように、居住者を呼び出すためにエントランス等の集合玄関に設置される集合玄関機１７と、各住戸（居室）に設置されて呼び出しに応答するための居室親機１８，１８・・と、管理室等に設置されて集合玄関機１７或いは居室親機１８と通話するための管理室親機１９と、各機器間の通信を制御する制御機２０とを備えている。集合玄関機１７、居室親機１８、管理室親機１９は夫々伝送線Ｌ１，Ｌ２，Ｌ３により制御機２０に接続されている。
【００１９】
集合玄関機１７は、住戸を選択して居住者を呼び出し操作するための呼出操作部２２、外気温を測定する温度計２３、マイク及びスピーカを有する通話部２４、居室親機１８等と通信するためのインターフェース（玄関機ＩＦ）２５を有している。尚、温度計２３は、Ａ／Ｄコンバータが内蔵され、測定した温度をデジタル変換して各居室親機１８，１８・・に順次送信する送信回路を備えている。
【００２０】
また居室親機１８は、マイク及びスピーカを備えた通話部２７、集合玄関機１７から送信された気温情報を表示する表示部２８、エアコン等の空調機器へ制御信号を送信する出力端子２９、エアコン温度設定等の出力信号の動作パラメータを居住者が入力するための設定部３０、ＣＰＵを有して居室親機を制御する制御部（親機制御部）３１、集合玄関機１７等と通信するためのインターフェース（親機ＩＦ）３２を備えている。尚、管理室親機１９は居室親機１８と同様の構成であるため説明を省略する。
【００２１】
このように構成されたインターホンシステムは次のように操作されて動作する。但し、インターホンの基本動作である集合玄関機１７からの呼び出し、及び居室親機１８により応答する動作は従来と同様であるため説明を省略し、温度計２３の測定情報の流れ、及びその情報による制御を説明する。
先ず上記第１の実施形態と同様に、居住者により設定部３０が操作されて最初に制御対象の空調機器の温度設定が成される。例えば冷房設定の場合［冷房／設定温度外気温−５度／設定下限温度２８℃］という設定が成される。そして、温度設定された居室親機１８の親機制御部３１は上記第１の実施形態と同様に図２に示すフローに従い制御動作する（説明を省略する）。
【００２２】
このように、集合玄関機で測定した外気温を基に室内の空調機器を制御することで、外気温の上昇、或いは下降に応じて室内温度設定を変更することができる。よって、外気温との差を小さくするよう制御すれば、来訪者が急激な温度変化を感じることが無く来訪者に優しい空調が可能となるし、電力等のエネルギーの節約にも有効となる。
また、温度計は複数の住戸に対して１つでよく、コスト上昇を抑制できるし、集合玄関機に組み込むことで直射日光や雨のあたらない場所に設置でき、温度測定精度を安定させることができる。
【００２３】
〈請求項３に対応する第３の実施形態〉
図４は、インターホンシステムの第３の実施形態を示すブロック図であり、病院に設置されるナースコールシステムに適用したインターホンシステムを示している。図４に示すように、入院患者が看護師を呼び出すためにベッド毎に設置されたナースコール子機３５と、病室毎に呼び出しを表示する廊下灯３６と、呼び出しに看護師が応答するためにナースステーションに設置されたナースコール親機３７と、通信を制御する制御機３８とを備えている。ナースコール子機３５は病室毎に廊下灯３６に伝送線Ｌ１１で接続され、廊下灯３６は伝送線Ｌ１２により制御機３８に接続されている。また、ナースコール親機３７は伝送線Ｌ１３により制御機３８に接続されている。
【００２４】
ナースコール子機３５は、呼出ボタン４０ａを有するベッド子機４０と、ベッド近傍に設置されてベッド子機４０を接続する子機プレート４１とから成り、子機プレート４１にはマイク及びスピーカを有する子機通話部４２、室温を測定する温度計４３、ナースコール子機３５を制御する子機制御部４４が備えられている。
尚、病室に複数のナースコール子機３５が設置されている場合は、温度計付きのナースコール子機は病室毎に少なくとも１台設置すれば良い。
【００２５】
ナースコール親機３７は、スピーカ及びマイクを有する通話部４６、ナースコール子機３５からの呼び出しを表示すると共に、ナースコール子機３５から送信される病室の温度を表示する表示部４７、エアコン等の空調機器へ信号を送信する出力端子４８、エアコン温度設定等の出力信号の動作パラメータを操作者が予め入力するための設定部４９、ＣＰＵを有してナースコール親機３７を制御する制御部（親機制御部）５０、各ナースコール子機３５と通信するためのインターフェース（親機ＩＦ）５１を備えている。
【００２６】
このように構成されたインターホンシステムは次のように操作されて動作する。但し、インターホンの基本動作であるナースコール子機３５からの呼び出し、及びナースコール親機３７により応答する動作は従来と同様であるため説明を省略し、温度計４３の測定情報の流れ、及びその情報による制御を説明する。
最初に制御対象の空調機器の温度設定が成される。看護師等の病院関係者によりナースコール親機３７の設定部４９が操作されて、例えば冷房設定の場合「冷房／設定温度病室＋１度／設定下限温度２８℃」という設定が成される。これは、廊下の冷房温度は２８℃に設定するが、病室内の冷房温度に対しては１℃高めにすることを優先する設定であることを示している。
【００２７】
こうして、温度設定されたナースコール親機３７の親機制御部５０は、図５に示すフローに従い制御動作する。設定部４９により２８℃の温度設定（Ｓ１１）が成されると、病室温度情報の入力を受けて制御を開始する（Ｓ１２）。まず病室温度が２７℃（２８℃マイナス１℃）を超えるかどうか判断する（Ｓ１３）。超えていれば廊下を空調するエアコンの温度設定を病室温度＋１℃に設定する（Ｓ１４）。２７℃以下であれば、次に２６℃を超えているかどうか判断する（Ｓ１５）。２６℃を超えている場合はエアコン温度を２８℃に設定する（Ｓ１６）。２６℃以下であれば、停止信号を出力させてエアコンを停止させ（Ｓ１７）る。以上の制御を病室の温度情報の受信を受けて定期的に実施する。尚、病室の温度情報は複数の病室からナースコール親機３７に対して送信され、対応するエアコンに対して出力端子４８から制御信号が出力される。
【００２８】
この制御により、例えば病室温度が２８℃の場合はエアコンに対して温度設定２９℃の指示が出され、設定温度２８℃より１℃高い温度にする制御が成される。また、病室温度が２７℃に下がったら本来の温度設定２８℃の指示を出す。そして、病室温度が２６℃に下がったら、設定下限温度が２８℃であることから、エアコンに対して「冷房停止」の指示を出して不要な冷房を停止する。同時に、親機スピーカを用いて、「病室温度が下がったので廊下エアコンを停止しました」とナースステーション内にメッセージを報音して、病室の温度を上げることを促す。
【００２９】
尚、この実施形態では空調機器の制御としてエアコンによる冷房を説明したが、暖房の制御であっても同様に制御できる。例えば、「暖房、設定温度病室温度−１℃、設定上限温度２４℃」と設定することができる。また、ベッド子機４０は呼出ボタン４０ａを長押し等すると、ナースコール親機３７の制御により、子機通話部４２のスピーカから、「ただ今の病室の温度は２８℃です」とアナウンスするよう構成しても良い。更に、ナースコール子機３５から伝送される温度情報を基に廊下灯３６に病室温度を表示させても良い。
【００３０】
このように、病室の温度を測定して廊下の空調機器を制御することができるため、病室の温度に合わせて廊下の温度設定を変更できる。よって、廊下と病室の温度差が無くなるよう制御でき、入院患者や見舞者に対して優しい空調管理ができるし、使用電力の節約を図ることができる。
また、外気温が例えば２５度等の所定の温度になった場合、空調機器の動作を停止させるので、空調機器の運転コストを更に節減することができる。
【図面の簡単な説明】
【００３１】
【図１】本発明に係るインターホンシステムの第１の実施形態を示すブロック図である。
【図２】図１の居室親機による空調機器温度制御の流れを示すフローチャートである。
【図３】インターホンシステムの第２の実施形態を示すブロック図である。
【図４】インターホンシステムの第３の実施形態を示すブロック図である。
【図５】図４のナースコール親機による空調機器温度制御の流れを示すフローチャートである。
【符号の説明】
【００３２】
１・・玄関子機、２・・居室親機、５・・温度計、１０・・表示部、１１・・出力端子（信号出力部）、１２・・設定部、１３・・親機制御部（出力制御部）、１７・・集合玄関機、１８・・居室親機、２３・・温度計、２８・・表示部、２９・・出力端子（信号出力部）、３０・・設定部、３１・・親機制御部（出力制御部）、３５・・ナースコール子機、３７・・ナースコール親機、４３・・温度計、４４・・子機制御部（送信制御手段）、４７・・表示部、４８・・出力端子（信号出力部）、４９・・設定部、５０・・親機制御部（出力制御部）。
【図１】
2009010738.tif 000003
【図２】
2009010738.tif 000004
【図３】
2009010738.tif 000005
【図４】
2009010738.tif 000006
【図５】
2009010738.tif 000007